(57)【要約】【課題】ねずみ等の動物や虫が容器の内部に侵入することを効果的に防止することのできる持ち手用の取付部材を提案する。【解決手段】持ち手用の取付部材７は、容器９の側板９５に形成された持ち手孔８に対して外側から取り付けられる外側パーツ２を備える。外側パーツ２は、持ち手孔８に対して固定される固定部材３と、固定部材３に対して回転自在な可動部材４を含む。可動部材４は、持ち手孔８を閉じる閉姿勢と、閉姿勢から外側に回転して持ち手孔８を開放する開姿勢との間で、回転自在である。【選択図】図３
2019218063.tif 000002
【特許請求の範囲】
【請求項１】
容器の側板に形成された持ち手孔に対して、外側から取り付けられる外側パーツを備え、
前記外側パーツは、
前記持ち手孔に対して固定される固定部材と、
前記固定部材に対して回転自在な可動部材を含み、
前記可動部材は、前記持ち手孔を閉じる閉姿勢と、前記閉姿勢から外側に回転して前記持ち手孔を開放する開姿勢との間で、回転自在である
ことを特徴とする持ち手用の取付部材。
【請求項２】
前記可動部材は、前記開姿勢において前記持ち手孔に近い側の部分に、前記持ち手孔に挿し入れた手で握ることのできる凸曲面を有する
ことを特徴とする請求項１に記載の持ち手用の取付部材。
【請求項３】
前記持ち手孔に対して、内側から取り付けられる内側パーツを更に備え、
前記内側パーツは、前記外側パーツに係止する部分を有する
ことを特徴とする請求項１又は２に記載の持ち手用の取付部材。
【発明の詳細な説明】
【技術分野】
【０００１】
本発明は、持ち手用の取付部材に関する。
【背景技術】
【０００２】
特許文献１には、容器の側壁に装着することのできる容器用取手が記載されている。
【０００３】
この容器用取手は、側壁の取付け孔に対して内側から挿入される内嵌着片と、取付け孔に対して外側から挿入される外嵌着片を備える。内嵌着片と外嵌着片は、取付け孔に挿入された状態で、互いに嵌合する。
【０００４】
外嵌着片が有する中空筒部の内側の端部には、取付け孔を閉じることのできる蓋部が、ヒンジ結合されている。蓋部は、容器の内容物が外部にこぼれ出ることを防止するために、取付け孔を閉じた状態から容器の内側に向けては回転し、容器の外側に向けては回転しないように構成されている。
【先行技術文献】
【特許文献】
【０００５】
【特許文献１】実用新案登録第３００２７７２号公報
【発明の概要】
【発明が解決しようとする課題】
【０００６】
上記した従来の技術では、容器用取手の蓋部が内側に向けて開くので、ねずみ等の動物や虫が、蓋部を内側に開いて容器に侵入するおそれがあった。
【０００７】
本発明が解決しようとする課題は、ねずみ等の動物や虫が容器の内部に侵入することを効果的に防止することのできる持ち手用の取付部材を提案することにある。
【課題を解決するための手段】
【０００８】
本発明の一態様に係る持ち手用の取付部材は、容器の側板に形成された持ち手孔に対して、外側から取り付けられる外側パーツを備える。
【０００９】
前記外側パーツは、前記持ち手孔に対して固定される固定部材と、前記固定部材に対して回転自在な可動部材を含む。前記可動部材は、前記持ち手孔を閉じる閉姿勢と、前記閉姿勢から外側に回転して前記持ち手孔を開放する開姿勢との間で、回転自在である。
【発明の効果】
【００１０】
本発明は、ねずみ等の動物や虫が容器の内部に侵入することを効果的に防止することができるという効果を奏する。
【図面の簡単な説明】
【００１１】
【図１】図１は、一実施形態の持ち手用の取付部材が装着された容器の斜視図である。
【図２】図２は、図１の要部を拡大した正面図である。
【図３】図３は、図２のＡ−Ａ線断面図である。
【図４】図４は、図２のＢ−Ｂ線断面図である。
【図５】図５は、同上の容器で取付部材の可動部材を開いたときの斜視図である。
【図６】図６は、図５の要部を拡大した正面図である。
【図７】図７は、図６のＣ−Ｃ線断面図である。
【図８】図８は、同上の取付部材の斜視図である。
【図９】図９は、同上の取付部材を分解した斜視図である。
【図１０】図１０は、同上の取付部材を分解した平面図である。
【発明を実施するための形態】
【００１２】
（一実施形態）
図１〜図７には、一実施形態の持ち手用の取付部材７が、容器９の側板９５に装着された状態を示している。
【００１３】
まず、容器９の全体構造について説明する。
【００１４】
以下の説明で用いる上下等の各方向は、容器９が組み立てられた状態（図１、図５に示す組立状態）を基準とする。
【００１５】
容器９は、矩形板状の底板９１と、底板９１の上方に位置する矩形枠状の口枠９３と、底板９１と口枠９３の間で起立するように取り付けられた四つの側板９５を備える。更に容器９は、口枠９３の開口部分を開閉するように設けられた一対の蓋板９７を備える。
【００１６】
容器９は、折り畳み式の運搬用容器であり、容器９を構成する各部材９１，９３，９５，９７は、合成樹脂製の成形品である。
【００１７】
四つの側板９５は、互いに対向して位置する一対の揺動板９５ａと、互いに対向して位置する一対の折曲板９５ｂで構成されている。
【００１８】
揺動板９５ａの上縁部分は、口枠９３に対して回転自在に連結されている。揺動板９５ａの下縁部分は、底板９１の周縁部分に対して着脱自在に係合する。
【００１９】
揺動板９５ａの上部には、貫通孔を有する筒状部９５２が、外側方Ｄ１に向けて突出するように形成されている（図３、図４参照）。筒状部９５２の貫通孔が、揺動板９５ａの持ち手孔８を構成している。
【００２０】
図中に示す外側方Ｄ１は、揺動板９５ａを基準として外側を向いた方向である。図中に示す内側方Ｄ２は、揺動板９５ａを基準として内側を向いた方向である。
【００２１】
折曲板９５ｂは、互いに回転自在に連結された合成樹脂製の上板９５４と下板９５６で形成されている。折曲板９５ｂの上縁部分（上板９５４の上縁部分）が、口枠９３に対して回転自在に連結され、折曲板９５ｂの下縁部分（下板９５６の下縁部分）が、底板９１の周縁部分に対して回転自在に連結されている。上板９５４と下板９５６は、内側に向けて「く」字状に折り曲がる。
【００２２】
次に、一実施形態の取付部材７について説明する。
【００２３】
以下の説明で用いる左右等の各方向は、揺動板９５ａに装着された取付部材７を、正面から視たときを基準とする。
【００２４】
取付部材７は、揺動板９５ａの持ち手孔８に取り付けられる部材であり、図８〜図１０にも示すように、持ち手孔８に対して内側方Ｄ２から取り付けられる内側パーツ１と、持ち手孔８に対して外側方Ｄ１から取り付けられる外側パーツ２を備える。
【００２５】
外側パーツ２は、内側パーツ１に対して複数箇所で係止する固定部材３と、固定部材３に対して回転自在に連結される可動部材４を含む。
【００２６】
言い換えると、一実施形態の取付部材７は、内側パーツ１と固定部材３と可動部材４を組み合わせて構成されている。内側パーツ１と固定部材３と可動部材４は、いずれも樹脂成形品である。
【００２７】
以下、内側パーツ１と固定部材３と可動部材４のそれぞれの構造について、順に説明する。
【００２８】
まず、内側パーツ１の構造について説明する。
【００２９】
図９等に示すように、内側パーツ１は、正面視において環状（矩形環状）に成形された内側フレーム部１１と、内側フレーム部１１から外側方Ｄ１に突出する差込壁１３を、一体に有する。差込壁１３は、内側フレーム部１１の内周縁のうち左右と下の縁に沿うように、正面視Ｕ字状に成形されている。
【００３０】
内側フレーム部１１は、内側パーツ１が揺動板９５ａに取り付けられたときに、揺動板９５ａに当接する部分である。差込壁１３は、内側パーツ１が揺動板９５ａに取り付けられたときに、持ち手孔８に差し込まれる部分である。
【００３１】
差込壁１３には、固定部材３に係止するための係止部１３１が、複数箇所に形成されている（図４、図９参照）。
【００３２】
一実施形態において、複数箇所の係止部１３１は、差込壁１３の左右両端部に形成された左右一対の係止部１３１である。一対の係止部１３１は、それぞれ左右に貫通する貫通孔である。一対の係止部１３１の少なくとも一方が、非貫通の溝であってもよい。
【００３３】
次に、固定部材３の構造について説明する。
【００３４】
図９等に示すように、固定部材３は、その全体が正面視Ｕ字状に成形されている。
【００３５】
固定部材３は、正面視Ｕ字状に成形された外側フレーム部３１と、外側フレーム部３１から突出した外周壁３２と、外側フレーム部３１から突出した差込壁３３と、可動部材４を回転自在に連結させる連結部３４を、一体に有する。
【００３６】
外周壁３２は、正面視Ｕ字状である外側フレーム部３１の外周側の端縁部分から、内側方Ｄ２に向けて突出している。差込壁３３は、正面視Ｕ字状である外側フレーム部３１の内周側の端縁部分から、内側方Ｄ２に向けて突出している。
【００３７】
外側フレーム部３１から差込壁３３が突出する寸法は、外側フレーム部３１から外周壁３２が突出する寸法よりも大きい（図１０等参照）。差込壁３３と外周壁３２の突出寸法の差は、揺動板９５ａの厚さ寸法に相当する。
【００３８】
一実施形態において、外周壁３２は、外側フレーム部３１の左右の端縁部分から突出した左右一対の外壁３２５である。
【００３９】
左右一対の外壁３２５の突先部分からは、左右方向に沿って互いに離れる方向に向けて、突出平面部３２１が突出している。突出平面部３２１は、固定部材３が揺動板９５ａに取り付けられたときに、揺動板９５ａに当接する部分である（図４参照）。
【００４０】
差込壁３３は、正面視においてＵ字状の外形を有する。差込壁３３には、内側パーツ１に係止するための突起状の係止部３３１が、複数箇所に形成されている（図４、図１０参照）。
【００４１】
一実施形態において、複数箇所の係止部３３１は、左右一対の係止部３３１である。一対の係止部３３１は、差込壁３３の左右の両端部分から、左右方向に沿って互いに離れる方向に向けて突出している。
【００４２】
更に、差込壁３３には、可動部材４を引っ掛けておくための引掛部３３３が形成されている。引掛部３３３は、差込壁３３の左右方向の中央部分のうち、外側方Ｄ１の端部に形成されている。引掛部３３３は、上方に向けて突出した突起である。
【００４３】
連結部３４は、固定部材３の左右両端部に位置する左右一対の軸受け３４１である。左右一対の軸受け３４１は、正面視Ｕ字状である外側フレーム部３１の、左右両側の上端部に位置する。
【００４４】
左右一対の軸受け３４１は、互いに反対側に向けて開口した有底筒状の軸受けである（図９等参照）。
【００４５】
次に、可動部材４の構造について説明する。
【００４６】
以下の構造の説明において、上下等の方向は、可動部材４が閉姿勢（図１〜図４、図８等参照）にあるときを基準とする。
【００４７】
図９等に示すように、可動部材４は、正面視Ｕ字状である支持枠４１と、支持枠４１の内周側の端縁部分から内側方Ｄ２に向けて延長された段板４２と、段板４２の内側方Ｄ２の端縁部から上方に向けて延長された扉板４３と、固定部材３に対して回転自在に連結する連結部４４を、一体に有する。
【００４８】
支持枠４１は、左右方向に長い横枠４１２と、横枠４１２の左右の両端部から上方に延長された左右一対の縦枠４１４を有する。横枠４１２の左右方向の中央部分のうち下端部からは、外側方Ｄ１に向けて突起４１６が突出している。突起４１６は、使用者が指を引っ掛けることができるように、左右方向に一直線状に形成されている。
【００４９】
段板４２は、固定部材３の引掛部３３３が引っ掛かるための引掛部４２３を有する。引掛部４２３は、段板４２の左右方向の中央部分に形成されている。引掛部４２３は、上下に貫通した貫通孔であるが、非貫通の溝であってもよい。
【００５０】
扉板４３は、段板４２から延長された平板状の基板４３１と、基板４３１から更に上方に延長された湾曲板４３３を、一体に有する。
【００５１】
可動部材４が閉姿勢にあるとき、扉板４３の基板４３１は、持ち手孔８の内側に位置する（図３等参照）。基板４３１は、段板４２の内側方Ｄ２の端縁部から真っすぐに起立している。湾曲板４３３は、その先端が外側方Ｄ１に向けて突き出るように、全体が断面円弧状に湾曲している。湾曲板４３３の先端は、持ち手孔８から外側方Ｄ１に離れて位置する。
【００５２】
湾曲板４３３の凸状に湾曲した面が、可動部材４の凸曲面４９を構成している。凸曲面４９は、可動部材４が開姿勢（図５〜図７参照）にあるときに、利用者が握ることのできる面である。
【００５３】
連結部４４は、左右一対の縦枠４１４の上端部に形成された左右一対の軸部４４１である。左右一対の軸部４４１は、左右方向において互いに近づくように突出した突軸である（図９、図１０等参照）。
【００５４】
次に、上記構造の内側パーツ１、固定部材３及び可動部材４の取り付け作業について説明する。
【００５５】
内側パーツ１は、揺動板９５ａの持ち手孔８に対して、内側方Ｄ２から取り付けられる。内側パーツ１の差込壁１３は、揺動板９５ａの持ち手孔８に差し込まれる。
【００５６】
固定部材３は、揺動板９５ａの持ち手孔８に対して、外側方Ｄ１から取り付けられる。固定部材３の差込壁３３は、揺動板９５ａの持ち手孔８に差し込まれる。固定部材３の左右一対の突出平面部３２１は、それぞれ揺動板９５ａに当接される。
【００５７】
持ち手孔８に内外の両側から差込壁１３，３３が差し込まれた状態で、固定部材３の差込壁３３は、内側パーツ１の差込壁１３の内側に位置し、かつ、差込壁１３に沿って位置する（図４参照）。差込壁３３から突出する左右一対の係止部３３１は、差込壁１３に貫通形成された左右一対の係止部１３１に、一対一で嵌り込む。これにより、内側パーツ１と固定部材３が互いに係止する。
【００５８】
可動部材４は、固定部材３に対して回転自在に取り付けられる。可動部材４が有する左右一対の軸部４４１は、固定部材３が有する左右一対の軸受け３４１に対して、一対一に嵌り込む（図２等参照）。この状態で、可動部材４は、左右一対の軸部４４１を中心として回転自在である。
【００５９】
可動部材４が固定部材３に連結され、かつ、可動部材４に対して特段の外力が加わらない状態において、可動部材４の自重は閉姿勢を維持させるように作用する。
【００６０】
可動部材４が閉姿勢にあるとき、可動部材４に貫通形成された引掛部４２３には、固定部材３から突出する引掛部３３３が、弾性的に引っ掛かる（図３等参照）。これにより、可動部材４は閉姿勢で維持され、容器９の内容物が持ち手孔８を通じて外部にこぼれ落ちることが抑えられる。
【００６１】
可動部材４が閉姿勢にあるとき、可動部材４の支持枠４１は、固定部材３の外側フレーム部３１を外側方Ｄ１から覆い隠すように位置する。可動部材４の扉板４３は、揺動板９５ａの持ち手孔８を外側方Ｄ１から覆い隠すように位置する。
【００６２】
可動部材４が閉姿勢にあるときには、支持枠４１が固定部材３の外側フレーム部３１に当接し、それ以上は可動部材４を内側方Ｄ２に回転させることができない。したがって、一実施形態の取付部材７によれば、ねずみ等の動物や虫が持ち手孔８を通じて容器９の内部に侵入することが、効果的に防止される。
【００６３】
使用者が、例えば可動部材４の突起４１６に指を引っ掛け、外側方Ｄ１に向けて外力を加え、引掛部４２３，３３３同士の弾性的な引っ掛かりを解除すれば、可動部材４を外側方Ｄ１に向けて回転させることができる（図７の矢印参照）。
【００６４】
図５〜図７に示すように、可動部材４の開姿勢は、可動部材４が外側方Ｄ１に向けて最も回転したときの姿勢である。可動部材４は、１８０度の範囲内で回転自在である。ここでの１８０度は厳密に解釈されるものではなく、約１８０度の場合も含む。可動部材４をその回転軸に沿って視たとき、可動部材４の閉姿勢と開姿勢は、回転軸を中心として互いに点対称である。
【００６５】
可動部材４が開姿勢にあるとき、可動部材４の突起４１６が口枠９３に当接し、それ以上の回転を規制する。可動部材４の支持枠４１と扉板４３は、正面視において容器９の口枠９３に重なるように位置し、揺動板９５ａの持ち手孔８は開放される。利用者は、可動部材４が邪魔になることなく、外側方Ｄ１から挿し入れた手で持ち手孔８をつかむことができる。
【００６６】
可動部材４が開姿勢にあるとき、扉板４３は、その全体が持ち手孔８よりも外側方Ｄ１に位置する（図７等参照）。このときの扉板４３の上側部分である基板４３１は、持ち手孔８よりも上方に位置する。
【００６７】
可動部材４が開姿勢にあるとき、基板４３１は、段板４２の外側方Ｄ１の端縁部から真っすぐ垂下した姿勢になる。扉板４３の下側部分である湾曲板４３３は、その先端が内側方Ｄ２に向けて突き出るように断面円弧状に湾曲している。
【００６８】
可動部材４が開姿勢にあるとき、湾曲板４３３の凸曲面４９は、可動部材４の下側部分に位置する。開姿勢にある可動部材４の下側部分は、すなわち、可動部材４のうち持ち手孔８に近い側の部分である。
【００６９】
図７に示すように、開姿勢における凸曲面４９は、斜め下方（外側方Ｄ１寄りの下方向）に向けて滑らかに膨らんだ形状を有する。凸曲面４９の曲率半径は、２〜１３ｍｍの範囲内で設定されることが好ましく、５〜１０ｍｍの範囲内で設定されることが更に好ましい。ここでの曲率半径は、凸曲面４９を左右方向から視たときの曲率半径である。
【００７０】
凸曲面４９は、基板４３１に近い箇所（上側の箇所）ほどその向き（その箇所の法線の向き）が水平方向に近くなり、基板４３１から離れた箇所（下側の箇所）ほどその向きが鉛直下方に近くなるように、滑らかに湾曲している。
【００７１】
使用者は、可動部材４を外側に開いたうえで、持ち手孔８に対して外側から手を挿し入れ、例えば手の平の部分に凸曲面４９を当接させることができる。使用者は、可動部材４の凸曲面４９が手にフィットすることから、作業中に痛みを感じることを抑えながら、持ち手孔８とこれの外側方Ｄ１に位置する凸曲面４９を握り、容器９の運搬作業を行うことができる。
【００７２】
（変形例）
以上、一実施形態に基づいて持ち手用の取付部材７を説明したが、以下に各種の変形例を示すように、持ち手用の取付部材７の構成は、上記したものに限定されない。
【００７３】
一実施形態においては、持ち手用の取付部材７を、折り畳み式の容器９に取り付けているが、取付部材７を取り付けることのできる容器９は折り畳み式のものに限定されず、多様な種類の容器９に対して取り付け可能である。
【００７４】
また、一実施形態においては、内側パーツ１と外側パーツ２を用いて取付部材７を構成したが、内側パーツ１を備えずに、外側パーツ２だけで取付部材７を構成することも可能である。この場合、例えば固定部材３に突起を設け、この突起を、側板９５（揺動板９５ａ）に設けた孔に係止させればよい。内側パーツ１を備えたうえで、固定部材３を内側パーツ１ではなく側板９５に係止させることも可能である。
【００７５】
また、一実施形態においては、固定部材３に対してこれとは別部材の可動部材４を連結させているが、固定部材３と可動部材４を一体に成形することも可能である。この場合、例えば固定部材３と可動部材４の間に、可撓性のヒンジ部分を一体に成形しておけばよい。
【００７６】
また、一実施形態においては、固定部材３の連結部３４（一対の軸受け３４１）に対して、可動部材４の連結部４４（一対の軸部４４１）が左右方向の外側に位置するが、この位置関係が逆でもよい。つまり、固定部材３の連結部３４が左右方向の外側に位置し、可動部材４の連結部４４が左右方向の内側に位置してもよい。
【００７７】
また、一実施形態においては、固定部材３の引掛部３３３が凸状に形成され、可動部材４の引掛部４２３が凹状に形成されているが、この凹凸関係が逆でもよい。つまり、固定部材３の引掛部３３３が凹状に形成され、可動部材４の引掛部４２３が凸状に形成されてもよい。
【００７８】
また、一実施形態においては、固定部材３の引掛部３３３が、平面視Ｕ字状である差込壁３３の中央部分に形成されているが、引掛部３３３の位置はこれに限定されず、例えば差込壁３３の左右の端部（差込壁３３の両端の立ち上がり部分）に形成されてもよい。この場合、可動部材４の引掛部４２３は、平面視Ｕ字状である段板４２の左右の端部に形成される。
【００７９】
また、一実施形態においては、指を引っ掛けることのできる突起４１６が、可動部材４の横枠４１２の下端部から、外側方Ｄ１に向けて突出しているが、突起４１６の形状はこれに限定されず、例えば、横枠４１２の下端部から内側方Ｄ２に向けて突出することも可能である。
【００８０】
また、一実施形態においては、開姿勢にある可動部材４から手を離せば、可動部材４は閉姿勢に向けて自重で回転するが、手を離しても可動部材４を開姿勢で保持することのできる機構を設けてもよい。この機構は、例えば、可動部材４の突起４１６の一部に凸状の係合部を設け、この係合部が弾性的に係合する凹状の部分（貫通孔や溝）を口枠９３に設けることで実現される。可動部材４の係合部が弾性的に係合する部分を、側板９５（揺動板９５ａ）に設けることも可能である。可動部材４の係合部を、突起４１６以外の部分に設けることも可能である。
【００８１】
また、一実施形態においては、取付部材７が揺動板９５ａに装着され、かつ、可動部材４が閉姿勢にある状態で、取付部材７の一部（固定部材３の連結部３４、可動部材４の連結部４４、突起４１６等）が容器９の外寸から外側にはみ出しているが、取付部材７を、その全体が容器９の外寸の内側に収まるように設けることも可能である。
【００８２】
取付部材７の他の構成においても、その作用効果を奏する範囲内において、適宜に設計変更を行うことや、公知の技術を組み合わせることが可能である。
【００８３】
（態様）
上記した実施形態の説明から理解することができるように、本願において開示する第１の態様の持ち手用の取付部材７は、下記の構成を備えることを特徴とする。
【００８４】
第１の態様の持ち手用の取付部材７は、容器９の側板９５に形成された持ち手孔８に対して外側から取り付けられる外側パーツ２を備える。外側パーツ２は、持ち手孔８に対して固定される固定部材３と、固定部材３に対して回転自在な可動部材４を含む。可動部材４は、閉姿勢と開姿勢との間で回転自在である。閉姿勢は、持ち手孔８を閉じる姿勢である。開姿勢は、閉姿勢から外側に回転して持ち手孔８を開放する姿勢である。
【００８５】
第１の態様の持ち手用の取付部材７によれば、可動部材４は、閉姿勢にあるときにはそれ以上、内側に回転することが規制されるので、ねずみ等の動物や虫が容器９の内部に侵入することを効果的に防止することができる。
【００８６】
本願において開示する第２の態様の持ち手用の取付部材７は、第１の態様に加えて、下記の構成を備えることを特徴とする。
【００８７】
第２の態様の持ち手用の取付部材７において、可動部材４は、開姿勢において持ち手孔８に近い側の部分に、持ち手孔８に挿し入れた手で握ることのできる凸曲面４９を有する。
【００８８】
第２の態様の持ち手用の取付部材７によれば、可動部材４を開姿勢にした状態で、凸曲面４９に手を当接させながら持ち手孔８を握り、容器９を円滑に運搬することができる。
【００８９】
本願において開示する第３の態様の持ち手用の取付部材７は、第１又は第２の態様に加えて、下記の構成を備えることを特徴とする。
【００９０】
第３の態様の持ち手用の取付部材７は、持ち手孔８に対して内側から取り付けられる内側パーツ１を更に備える。内側パーツ１は、外側パーツ２に係止する部分を有する。
【００９１】
第２の態様の持ち手用の取付部材７によれば、内側パーツ１を用いて取付部材７全体を強固に構成することができる。
【符号の説明】
【００９２】
１  内側パーツ
２  外側パーツ
３  固定部材
４  可動部材
４９  凸曲面
７  取付部材
８  持ち手孔
９  容器
９５  側板
【図１】
2019218063.tif 000003
【図２】
2019218063.tif 000004
【図３】
2019218063.tif 000005
【図４】
2019218063.tif 000006
【図５】
2019218063.tif 000007
【図６】
2019218063.tif 000008
【図７】
2019218063.tif 000009
【図８】
2019218063.tif 000010
【図９】
2019218063.tif 000011
【図１０】
2019218063.tif 000012